(57)【特許請求の範囲】
【請求項１】
食器収納槽と、該食器収納槽を引き出し可能とし、前記食器収納槽を外方より覆い外郭を構成した本体と、食器洗浄用の加圧水供給手段と、水を温水へ変え、また、前記食器収納槽内の温度を上昇させるためのヒータと、前記食器収納槽内の洗浄水を機外へ排出する排水ポンプを有し、食器の洗浄、水すすぎ、温水すすぎ及び、乾燥の各行程を実行する制御装置を備えた食器洗い機において、
前記食器収納槽の底壁に設けられ、樹脂成形のステータケースの外周にステータが挿入され、前記ステータケースの内側に前記加圧水供給手段と前記排水ポンプを駆動する電動機のロータを配置し、このロータのシャフトの上部に前記加圧水供給手段の洗浄用ランナー、下部に前記排水ポンプの排水用ランナーが取付けられ、前記ロータをウォータシールにより挟持する水密構造を備え、前記ロータの下側軸受を前記ウォータシールの間に配置し、マグネット位置検出用回転センサレスによるブラシレスＤＣモータで前記洗浄用ランナーと前記排水用ランナーとを駆動するポンプユニットを備え、食器の洗浄及びすすぎのときの前記ブラシレスＤＣモータの回転方向に対して、前記食器収納槽の洗浄水を排水するときの前記ブラシレスＤＣモータの回転方向が逆回転であること特徴とする食器洗い機。
【請求項２】
請求項１記載の食器洗い機において、前記ポンプユニット内に配設された前記ロータが、上部と下部に設けられたウォータシールにより密封され、下部軸受をウォータシールの間に配置し、且つ、ステータの両面に絶縁シートを介し鋼板製防炎カバーにより巻線の上下面及び外周部を覆う構造としたことを特徴とする食器洗い機。
【請求項３】
請求項１記載の食器洗い機において、前記ブラシレスＤＣモータの制御を、特定の印加電圧幅の間で直線的に変化させて、前記ブラシレスＤＣモータの運転モードになるように制御したことを特徴とする食器洗い機。
【発明の詳細な説明】
【０００１】
【発明の属する技術分野】
本発明は、食器洗い機に関するものである。
【０００２】
【従来の技術】
従来の洗浄槽引き出し式のシステムキッチン食器洗い機は、特許第3129316号公報、特許第3095002号公報に示されている。図１、図２をもとに従来の技術を説明する。食器洗い機本体６１３は、前方に開口部を有し、レール６０２を介して洗浄槽６１４を前後方向に移動可能に支持している。この洗浄槽６１４内に食器６０５を収納する食器かご６０６が設けられている。送風ファン６１５は、乾燥工程で運転され、洗浄槽６１４内の食器６０５を乾燥する。この送風ファン６１５は洗浄槽６１４の前面に設けられ、洗浄槽６１４への送風口６１４ａ加熱手段としてのヒータ６０７の近傍に設けられている。
【０００３】
洗浄槽６１４の前面にドア６１６が設けられ、このドア６１６の上部に洗浄槽６１４内の蒸気を排出する排気口６１６ａが設けられている。以上の構成において概略の動作を説明すると、使用においては、まず、食器洗い機本体６１３から洗浄槽６１４を前方に引き出し、食器６０５を洗浄槽６１４に収納して、洗剤を入れた後、運転を開始すると、制御装置６１２により、ヒータ６０７、洗浄ポンプ６０８、送風ファン６１５等の運転を制御し、食器かご６０６を収納した食器６０５を洗浄、水すすぎ、温水すすぎ、乾燥の工程により運転される。洗浄ノズルから噴射する洗浄液あるいはすすぎ液を循環させているのが、洗浄ポンプ６０８である。
【０００４】
従来の食器洗い機において、この洗浄ポンプ６０８内に配設されているランナーを回転させているモータはインダクションモータであり、ＤＣモータに比べ、出力を出そうとすると、巻線が太く長くなり、ロータやステータの厚さも厚くなる。そのため、図に示した如く、外形寸法が大きくなる。したがって、引き出し式の食器洗い機の場合、図１のように、洗浄ポンプ６０８取り付け部の洗浄槽６１４の背面に凹みをつけてその場所に配置したり、図２に示す如く、洗浄槽底面に裏に配置する構造にしていた。
【０００５】
【発明が解決しようとする課題】
しかしながら、この配置、取り付けでは、いずれの場合も洗浄槽６１４の内容積が少なくなる。図１では、奥行き方向が狭くなる。そして、図２では、深さ方向が浅くなる。以上により食器を収納するスペースがせまくなり、食器の配置間隔等の狭くなり、洗浄性能、乾燥性能等に影響を与えるのである。
【０００６】
本発明は、上述した種々の問題を考慮し、ポンプユニットの高さを低くし、洗浄槽の内容積を増加した食器洗浄機を提供する。
【０００７】
【課題を解決するための手段】
上記課題を解決するために本願発明の食器洗い機は、食器収納槽と、該食器収納槽を引き出し可能とし、前記食器収納槽を外方より覆い外郭を構成した本体と、食器洗浄用の加圧水供給手段と、水を温水へ変え、また、前記食器収納槽内の温度を上昇させるためのヒータと、前記食器収納槽内の洗浄水を機外へ排出する排水ポンプを有し、食器の洗浄、水すすぎ、温水すすぎ及び、乾燥の各行程を実行する制御装置を備えた食器洗い機において、前記食器収納槽の底壁に設けられ、樹脂成形のステータケースの外周にステータが挿入され、前記ステータケースの内側に前記加圧水供給手段と前記排水ポンプを駆動する電動機のロータを配置し、このロータのシャフトの上部に前記加圧水供給手段の洗浄用ランナー、下部に前記排水ポンプの排水用ランナーが取付けられ、前記ロータをウォータシールにより挟持する水密構造を備え、前記ロータの下側軸受を前記ウォータシールの間に配置し、マグネット位置検出用回転センサレスによるブラシレスＤＣモータで前記洗浄用ランナーと前記排水用ランナーとを駆動するポンプユニットを備え、食器の洗浄及びすすぎのときの前記ブラシレスＤＣモータの回転方向に対して、前記食器収納槽の洗浄水を排水するときの前記ブラシレスＤＣモータの回転方向が逆回転である。本発明はポンプユニットの高さを低くするため、駆動用モータにセンサレスブラシレスＤＣモータを使用し、更にモータの高さを低くするため、巻線の上下に絶縁シートと防炎カバーを配置することにより、高さ方向を各々の板厚分の厚さで済ませるようにすると共に、下側軸受をウォータシールの間に配置することによりポンプユニットの高さ方向を低減した。
【０００８】
【発明の実施の形態】
以下、本発明を、図３〜図１５により一実施例について説明する。図７は、システムキッチンに組み込んだ食器洗い機の斜視図である。この実施の形態における食器洗い機は、２つの食器洗浄槽ユニット１００，２００を上下２段に積み重ねるように組み合わせた状態にシステムキッチン３００に組み込んだ構成である。
【０００９】
２つの食器洗浄槽ユニット１００，２００は、そのほとんどを同一構成にしているので、共通する構成については上段に位置する食器洗浄槽ユニット１００を例示して構成を説明する。
【００１０】
食器洗浄槽ユニット１００は、引き出し式の洗浄槽１０１をケース１０２内に進退可能に収容し、引き出した状態で食器の出し入れや洗剤投入を行い、押し込んだ状態で洗浄（洗い，すすぎ，乾燥）を行う。洗浄槽１０１の前側面に取り付けた前面パネル１０３は、この前面パネル１０３の前縁面に設けた１０４と上端面に設けた操作パネル１０５を備える。
【００１１】
この食器洗浄槽ユニット１００の具体的な組み立て構造を図３を参照して説明する。
【００１２】
食器を収納する洗浄槽１０１は、樹脂成型によって上側を開放した箱型形状に形成する。この洗浄槽１０１の底壁の外側には偏平なブラシレスＤＣモータ１０６を取り付け、このブラシレスＤＣモータ１０６の回転軸の内端部は、洗浄槽１０１の底壁を貫通させて洗浄槽１０１内に突出させ、洗浄ポンプ羽根１０７を嵌着する。洗浄槽１０１の底壁のブラシレスＤＣモータ１０６取り付け部の周囲は、低くして水溜部１０８を形成し、底壁との間に前記洗浄ポンプ羽根１０７の吸い込み通路を構成する隙間を介在させて取り付けた洗浄液吸込ガイド１０９を設け、洗浄ポンプ羽根１０７の吸引力を水溜部１０８内の洗浄液に効率良く作用させることができるように構成する。ノズルアーム１１０は、その中央部に形成した受水口１１０ａが前記洗浄ポンプ羽根１０７の吐出口を包囲して該洗浄ポンプ羽根１０７から吐出する洗浄液を受け入れるように、前記洗浄吸込ガイド１０９に回転自在に嵌着する。ノズルアーム１１０は、洗浄ポンプ羽根１０７から受け入れた洗浄液をノズルアーム１１０の上面に設けた複数の洗浄噴射穴１１０ｂから直交あるいは斜め上向きに噴射し、食器に当て洗浄する。
【００１３】
また、ノズルアーム１１０は、洗浄ポンプ羽根１０７から吐き出された水をガイド１１０ｃによってノズルアーム１１０の側壁に水を当てる力で回転させる。また、ノズルアーム１１０の側壁底部に穴１１０ｄを複数個配設させ仕切り板１１１の上面に向けて斜めに噴射させるこの噴射によって仕切り板１１１についた残菜を流し、仕切り板に残菜が付着しないようにしている。洗浄液吸込ガイド１０９とノズルアーム１１０の間には、洗浄槽１０１の底部を上下に仕切る濾過網目付きの仕切り板１１１を設置し、この仕切り板１１１の裏側（下側）に概略環状のシーズヒータ１１２を配置する。
【００１４】
ブラシレスＤＣモータ１０６の回転軸の外端部には、排水ポンプ羽根１１３を嵌着し、この排水ポンプ羽根１１３を包囲するケーシング１１４を取り付ける。このケーシング１１４には、前記洗浄槽１０１の底部に接続する吸水口１１４ａと、排水ホース１１５に接続する排水口１１４ｂと、洗浄槽１０１内に開口するように空気抜ホース１１６を接続する空気抜口１１４ｃを設ける。
【００１５】
前記排水ポンプ羽根１１３は、ブラシレスＤＣモータ１０６を正回転（洗浄モード）させたときには排水ポンプ機能を発揮せず、逆回転（排水モード）させたときに排水ポンプ機能を発揮するように構成する。
【００１６】
ここで、図４より、本発明の薄形ポンプユニットについて実施例を詳細説明する。ステータケース４にはステータ５が挿入され、その上下面に内側から絶縁シート２６、鋼板製防炎カバー７で巻線６を覆いネジ１７で固定されている。ロータ８は、ステータケース４と洗浄側軸受部組１８に設けられたウォータシール１９とすべり軸受９により、挟持され水密構造となっている。ステータケース４側すなわち下側の軸受はウォータシール間に位置させている。
【００１７】
また、ロータ８はシャフト１０、磁性体耐蝕リング２０、フェライト系マグネット２１を樹脂２２で一体成形して構成している。洗浄側軸受部組１８はステータケース４に超音波溶着により接合され、ステータケース４と洗浄側軸受部組１８の気密を保っている。ロータ８はシャフト１０の上面及び下面部は各々洗浄ポンプ羽根１０７、排水ポンプ羽根１１３がプッシュナット２３により固定されている。排水ポンプ羽根１１３部はステータケース４とケーシング１１４の間に挿入されたＯリング１４により水密構造を構成している。
【００１８】
洗浄槽１０１の前側壁の外側には、乾燥用の空気を洗浄槽１０１の下部に吹き込んで循環させる送風装置１１７を設置する。洗浄槽１０１内の湿潤空気は、側壁に形成した排気口１０１ａから機外に排気する。
【００１９】
また、洗浄槽１０１内には、ノズルアーム１１０の上方に位置するように食器載置かご１１８を設置する。この食器載置かご１１８は、下段に位置する食器洗浄ユニット２００では、食器載置かごと調理器具載置かごを選択的に設置することができるように構成する。食器載置かごは、図３に示すように、茶碗や皿やコップ等の食器を載置するのに好適な形態に構成し、調理器具載置かごは、図５に示すように、フライパンや鍋やボール等の調理器具と食器を並べて載置するのに好適な形態に構成する。
【００２０】
また、洗浄槽１０１の上縁の全周には、中空パッキング１１９を当接してシールするためパッキング当接１０１ｂを形成する。
【００２１】
このように構成した洗浄槽１０１の両外側面には、カース１０２内に進退可能に設置するためのスライドレール１２０とローラ１２１を取り蹴る。
【００２２】
ケース１０２は、前後方向と上方向を開放するように略Ｕ字形状に鋼板を折り曲げて形成し、両上端開放縁を内面に折り曲げて庇１０２ａを形成する。そして、上側開放面は、庇１０２ａの内面（庇１０２ａの下面）のシール天面１２２の端縁部の上面を当接してねじ止めすることにより閉じる。また、後側の開放辺の上部は、上端縁を内側に折り曲げた鋼板製の補助板（図示省略）を外側から押し当てて押え込むようにケース１０２およびシール天板１２２にねじ止めして補強する。
【００２３】
そして、両側内面には、洗浄槽１０１のスライドレール１２０とローラ１２１と組み合わせる固定レール１２３とローラを取り付ける。
【００２４】
洗浄槽１０１から漏水防止用シールは、図７、図８、図１１、及び図１２に示すように、ケース１０２の上端開放縁を内側に折り曲げて形成した庇１０２ａで押えられたシール天板１２２の外周縁部の内側（下面）に洗浄槽１０１の上端全周に形成したパッキン当接鍔１０１ｂに対向するように環状の中空パッキング１１９を設け、エアーポンプによって中空パッキング１１９に加圧空気を送って膨らませることにより膨らんだパッキング１１９を洗浄槽１０１のパッキング当接鍔１０１ｂとシール天板１２２の間に弾性的に当接（弾着）させて安定したシールを実現する。
【００２５】
シール天板１２２は、樹脂成型によって形成、外周縁部の内側には、環状のパッキング収納溝１２２ａを下向きに開放するように形成し、このパッキング収納溝１２２ａの底には、中空パッキング１１９の上側壁に突設して弾着部１１９ａを嵌着して取り付ける取り付け溝１２２ｂと、中空パッキング１１９の上側壁に形成した給排気口１１９ｃを露出させる給排気口窓１２２ｃを設ける。この給排気口窓１２２ｃの上側部には、シール天板１２２の端面に開放する横向きの継ぎ手溝１２２ｂを連設する。中空パッキング１１９の給排気口１１９ｃに対する給排気パイプ１２４の接続は、Ｌ字状の継手１２５の一辺を前記給排気口１１９ｃに差し込んで中空パッキン１１９に接続し、他辺を給排気口パイプ１２４に差し込んで実現する。この接続は、継ぎ手１２５，給排気パイプ１２４を給排気口窓１２２ｃと継ぎ手溝１２２ｄ内収納するように配置して実現し、シール天板１２２の上面に継ぎ手１２５と給排気パイプ１２４が突出しないように構成する。
食器洗い機は、一般的に図１４に示すブロック図の運転行程で行なわれる。電源を入れ、スイッチ入れて、コース設定をし、スタートさせると、洗い、水すすぎ、温水すすぎ、乾燥の順番で自動運転され終了する。
【００２６】
ここで、本発明の食器洗い機の制御について図１３の制御ブロック図をもとに説明するこの制御装置１５０は、上段の食器洗浄槽ユニット１００における従来のような食器洗浄制御を実行する制御系１５１と下段の食器洗浄槽ユニット２００における調理器具または食器洗浄制御を実行する制御系１５２を備える。各制御系１５１，１５２は、それぞれマイクロコンピュータ１５３，１５４を中心にして同様に構成するので、ここでは、制御系１５１について説明する。
【００２７】
マイクロコンピュータ１５３は、前記操作パネル１０４，１０５のスイッチである操作パネルスイッチ１５５からの操作入力に従って、メモリ１５６に格納しているプログラムを実行して洗浄制御を実行する。
【００２８】
そのために、マイクロコンピュータ１５３は、洗浄液の水位を感知する水位センサ１５７，ドアセンサ１５８，中空パッキング空気圧センサ１５９，洗浄液の温度を感知する水温センサ１６０，ヒータ過熱センサ１６１からの検知信号を入力し、中空パッキング１１９への給気および排気を制御するエアポンプユニット１６２と、吸水電磁弁１６３と、前記シーズヒータ１１２と、前記ブラシレスＤＣモータ１０６と、前記乾燥給気ファン１１７と、前記操作パネル１０４，１０５に設けた表示器１６４とブザー１６５を制御する。
【００２９】
そして、マイクロコンピュータ１５３は、洗い工程では、吸水電磁弁１６３を開いて所定水位までの吸水を実行し、ブラシレスＤＣモータ１０６を正回転（洗浄モード）で運転して洗浄ポンプ羽根１０７を回転させることにより、洗浄槽１０１の水溜部１０８から洗浄液を吸い上げてノズルアーム１１０に供給し、洗浄噴射１１０ｂから食器載置かご１１８に向けて噴射して食器洗いや調理器具洗いを実行する。
【００３０】
洗浄液は、必要に応じてシーズヒータ１１２に通電して加熱する。
【００３１】
洗いが終了すると、ブラシレスＤＣモータ１０６を逆回転（排水モード）として排水ポンプ羽根１１３を機能させて洗浄槽１０１内の洗浄液を排水する。
【００３２】
その後、吸水電磁弁１６３を開いて所定水位まですすぎ水を吸水し、必要に応じてシーズヒータ１１２を通電してすすぎ水を加熱する。このすすぎ水の排水も洗浄液の排水と同様に行う。
【００３３】
乾燥工程では、乾燥給気ファン１１７により給気し、シーズヒータ１１２で加熱して温風乾燥を実行する。
【００３４】
上段の食器洗浄槽ユニット１００の制御系１５１は、従来の食器洗い機と同様な食器洗浄制御を実行する。本実施例の形態は、二つの制御系１５１，１５２を有しており、これらは、通信線４００で接続され、双方のシーズヒータが同時に動作しないように制御している。
次に、本発明における排水行程の運転制御について、図１５のフローチャート図をもとに説明する。本発明の排水行程では、洗浄、排水モータが同一構成であることより、排水時は、該モータを逆回転させて排水ポンプ羽根を回転させる。排水時、水位センサーにより水位を検知し、水が排水されている時の該水位センサーの出力をマイコンで制御し、所定時間排水し終了する。エアーロック状態時は、排水されず、水位変動がないため水位センサーの出力は変化しない。この場合は、再度排水モータを駆動させるリトライ機能を有する制御となっている。
【００３５】
ここで、本発明の食器洗い機の洗浄及び乾燥工程と排水行程のエアーロック防止構造について、図３、図４、図５、図６、図８より説明する。汚れた食器を食器載置かごに配置させ、洗剤を洗浄槽内に投入後、操作パネル１０４のスイッチを押すことにより、制御基板３０１により洗い、乾燥までの工程で運転が行われる。まず、エアーポンプ１６２から空気を中空パッキング１１９内に送り、膨らましシール天板１２２と洗浄槽１０１の隙間をなくし水封する。次にブラシレスＤＣモータ１０６に通電し、排水ポンプ羽根１１３を逆回転させて洗浄槽１０１内に水が入っている時、排水させる。この排水においてエアーロックを防止する構成が必要となる。ポンプユニット１は洗浄槽１０１の、ほぼ中央部に 設けられている。洗浄槽１０１の下面には吸水口１１４ａがあり、その下面は排水ポンプ羽根１１３の下面と同等又はそれ以下になるように設定されている。
【００３６】
図４にポンプユニット１の断面図を示す。ステータケース４にはステータ７が挿入されている。また、ステータケース４の下部外周凸部は排水ポンプ羽根１１３の羽根根元部まで位置させ、排水用の穴１５の位置は排水用ポンプ羽根１１３の羽根根元と一致させ、排水用の穴１５を排水用ポンプ羽根１１３の羽根の高さより大きくしている。ケーシング１１４には穴径が小さく上面の高さが排水用の穴１５と同一面に配置した空気抜き孔１６を備えている。空気抜き孔１６は、水没しないように洗浄槽１０１の側面に接続されて、排水時に空気の溜りがある場合は一部の排水と共に再度洗浄槽内に戻す構造とした。しかしながら洗剤が多量に入った場合は泡が消える時間が必要なため排水の可否を水位センサで検知し、マイコン側で複数回再始動をかけて排水するようにした。次に、給水弁３０２に通電、給水する。水は洗浄槽１０１の下方部、吐き出し口３０４より洗浄槽内に流入する。流入した水は、温度差により水位位置を設定する水位センサ３０６によりノズルアーム１１０の下面まで流入させる。約３．２リットルの水量である。流入後、ブラシレスＤＣモータ１０６に通電し、洗浄ポンプ羽根１０７を正回転させ洗浄槽内の水を洗浄液吸込ガイド１０９の下よりノズルアーム１１０の内部を流し、洗浄噴射穴１１０ｂから噴射させ食器を洗う。水温は洗浄時６５℃程度までシーズヒータ１１２によって加熱させる。洗い終了後、排水、給水、洗い２〜３分程度行う工程を３回繰り返し、水すすぎ工程としている。その後、温水（加熱）すすぎを行う。温水すすぎの温度は、７０℃以上で制御している。念入りコースでは８０℃程度まで加熱している。そして、排水後、乾燥工程に入る。乾燥時は、シーズヒータ１１２を間欠的にＯＮ、ＯＦＦし、温度のコントロールを行いながら、送風装置１１７を駆動させ、風を仕切り板１１１の下からシーズヒータに当てながら仕切り板１１１の多数の穴から洗浄槽１１０内の食器に温風として当て、排気窓１０１ａを介して外に出す。標準コースの工程時間は、約９０分（洗い２５分、水すすぎ１２分、温水すすぎ２２分、乾燥３０分）である。
【００３７】
図１６に本発明のセンサレスＤＣモータの駆動回路ブロック図を示す。単相１００ＶのＡＣ電源は、ノイズフィルターを通して整流回路で直流電圧に全波整流されており、それを平滑回路を通して、リップル分を少なくした直流電源をインバータ回路に供給している。インバータ回路は、通常三相の巻線に電源を供給するため本実施例の場合、二相づつ電流を流すようにマイコンで制御している制御方法は、最初に位置決めのため、二相に通電し、それ以降は、図１７の番号順に通電し、同期モータとして運転し、印加電圧と周波数を変化させ、ブラシレスＤＣモータの運転に移行させている。位置決めの際に通電電流が多く過ぎると位置決めの際、ロータが加速しすぎて、振動をおこすため振動の影響のない電流値を最大値として、最小値は負荷トルクに打ち勝つ十分なトルクを発生させる電流値として設定している。尚、同期運転の時、図１８に示すように右片上がりの加速パターンにし、かつ、印加電圧を図１９に示すように特定の印加電圧幅の間で直線的に変化させて、ブラシレスＤＣモータの運転モードになるように制御している。この制御方法により、ロータの位置と巻線に印加する電圧のタイミングを電気角０°〜±１５°の範囲にくるように制御することで、同期運転からブラシレスＤＣモータ運転時に脱調等を生じない運転を可能とした。
【００３８】
【発明の効果】
本発明によればポンプユニットの高さ方向を大幅に低減できるため、洗浄槽の内容積を増加することが出来、鍋などの大物調理器具を収納できる食器洗浄機を提供できる。
【図面の簡単な説明】
【図１】従来の引き出し式食器洗い機の食器洗浄槽ユニットの縦断正面図である。
【図２】従来の引き出し式食器洗い機の食器洗浄槽ユニットの縦断正面図である
【図３】本発明になる食器洗浄槽ユニットの縦断正面図である。
【図４】本発明の構造を有したポンプユニットの断面図である。
【図５】本発明の構造を有したケーシングの上面図である。
【図６】本発明の構造を有したケーシングの断面図である。
【図７】本発明になる食器洗い機を組み込んだシステムキッチンの斜視図である。
【図８】本発明になる食器洗浄槽ユニットの横断正面図である。
【図９】図７に示した食器洗い機の上段の食器洗浄槽ユニットを引き出した状態を示す平面図である。
【図１０】図７に示した食器洗い機の下段の食器洗浄槽ユニットを引き出した状態を示す平面図である。
【図１１】洗浄槽からの漏水防止用シール部を拡大して示す縦断正面図である。
【図１２】洗浄槽からの漏水防止用シール部の給排気接続部を拡大して示す縦断正面図である。
【図１３】本発明における食器洗い機の制御ブロック図である。
【図１４】食器洗い機における運転行程を示すブロック図である。
【図１５】本発明における排水行程の運転制御を示すフローチャート図である。
【図１６】本発明におけるセンサレスブラシレスＤＣモータ駆動回路ブロック図である。
【図１７】本発明における直流電流パターン図である。
【図１８】本発明におけるセンサレスブラシレスＤＣモータ加速パターン図である。
【図１９】本発明におけるセンサレスブラシレスＤＣモータの回転数と印加電圧関係図である。
【符号の説明】
３００…システムキッチン，２００…食器洗洗浄槽ユニット，１００…食器洗洗浄槽ユニット，１０１…洗浄槽，１０１ａ…排気窓，１０１ｂ…パッキング当接鍔，１０１ｄ…排気口，１０２…ケース，１０２ａ…庇，１０３…前面パネル，１０４…操作パネル，１０５…操作パネル，１０６…ブラシレスＤＣモータ，１０７…洗浄ポンプ羽根，１０８…水溜部，１０９…洗浄液吸込ガイド，１１０…ノズルアーム，１１０ａ…受水口，１１０ｂ…洗浄噴射穴，１１０ｃ…ガイド，１１０ｄ…穴，１１１…仕切り板，１１２…シーズヒータ，１１３…排水ポンプ羽根，１１４…ケーシング，１１４ｃ…空気抜口，１１４ｂ…排水口，１１４ａ…吸水口，１１５…排水ホース，１１６…空気抜ホース，１１７…送風装置，１１８…食器載置かご，１１９…中空パッキング，１１９ａ…弾着部，１２０…スライドレール，１２１…ローラー，１２２…シール天板，１２２ａ…パッキング収納溝，１２２ｂ…取り付け溝，１２２ｃ…給排気窓，１２３…固定レール，１２４…給排気パイプ，１２５…継ぎ手，３０１…制御基板，３０２…給水弁，３０４…吐き出し口，３０６…水位センサ，１６２…エアーポンプ，１…ポンプユニット，４…ステータケース，５…ステータ，２６…絶縁シート，７…鋼板製防炎カバー，６…巻線，１７…ネジ，８…ロータ，１８…洗浄側軸受部組，１９…ウォータシール，９…すべり軸受，１０…シャフト，２０…磁性体耐蝕リング，２１…フェライト系マグネット，２２…樹脂，２３…プッシュナット，１２…仕切りガイド，１４…Ｏリング，１６…空気抜き孔，１６４…表示機，１５６…メモリ，１６３…給水弁，１５８…ドアセンサ，４００…接続線，１６０…水温センサ，１６１…過熱センサ，１５５…操作スイッチ，１６５…ブザー，１５９…エアパッキン圧力センサ。
【図１】
0003896845.tif 000002
【図２】
0003896845.tif 000003
【図３】
0003896845.tif 000004
【図４】
0003896845.tif 000005
【図５】
0003896845.tif 000006
【図６】
0003896845.tif 000007
【図７】
0003896845.tif 000008
【図８】
0003896845.tif 000009
【図９】
0003896845.tif 000010
【図１０】
0003896845.tif 000011
【図１１】
0003896845.tif 000012
【図１２】
0003896845.tif 000013
【図１３】
0003896845.tif 000014
【図１４】
0003896845.tif 000015
【図１５】
0003896845.tif 000016
【図１６】
0003896845.tif 000017
【図１７】
0003896845.tif 000018
【図１８】
0003896845.tif 000019
【図１９】
0003896845.tif 000020